(57)【特許請求の範囲】
【請求項１】
シートバックの側面より外方に突出する支軸に対して上下方向に回動自在に軸着し、アームレストの内部にアームレストの長手方向に沿って配設する上下回動軸と、
この上下回動軸を内部に回転自在に挿通しアームレストのフレームを一体に固着してなる左右回動軸と、
該左右回動軸、フレーム等を内部に収容する開口部付の袋状の表皮と、
この表皮の内部に前記フレーム、左右回動軸と共に一体発泡するパッドとからなり、
前記左右回動軸の基端側に、前記表皮の開口部を封鎖する鍔状の合成樹脂製封鎖プレートを嵌合し、
前記封鎖プレートには、前記左右回動軸に係合すると共に内部に前記上下回動軸側に固着した止軸が挿入する筒状のストッパ部と、前記左右回動軸と上下回動軸との間に嵌入するブッシュ部とを設けてなるアームレスト構造。
【請求項２】
前記左右回転軸には前記封鎖プレートによって前記表皮の開口端縁を挟持すると共に前記ストッパ部が嵌合する通孔を有する円盤状の支持プレートを設けてなる前記請求項１記載のアームレスト構造。
【請求項３】
前記上下回動軸の前記封鎖プレートの近傍には固定プレートを固着し、該固定プレートにより封鎖プレートの支持プレート側からの移動を阻止する請求項１記載のアームレスト構造。
【発明の詳細な説明】
【０００１】
【発明の属する技術分野】
本発明は自動車用シートのシートバックに備えるアームレストに関する。
【０００２】
【従来の技術】
従来のアームレストには袋状に縫製した表皮内にフレーム等を収容した後、その表皮内にパッド成形用の発泡液を注入してパッドを表皮と一体発泡成形したものがある。
【０００３】
これは表皮に設けたフレーム等の挿入用の開口部より、表皮内に注入したパッド成形用の発泡液が外部に漏出することがないように、開口部に種々の閉口手段を設けている。
【０００４】
【発明が解決しようとする課題】
以上の如く、袋状に縫製した表皮内に発泡液を注入してパッドを表皮と一体発泡成形したものは、フレーム等の挿入用の開口部の閉口手段が複雑で、しかも、開口部からのパッド成形用の発泡液の外部への漏出を完全に防止できない不具合があった。
【０００５】
そこで、本発明は斯様な従来品の不具合を除去することを目的とする。
【０００６】
【課題を解決するための手段】
以上の目的を達成するための本発明に係るアームレストは、シートバックの側面より外方に突出する支軸に対して上下方向に回動自在に軸着し、アームレストの内部にアームレストの長手方向に沿って配設する上下回動軸と、この上下回動軸を内部に回転自在に挿通しアームレストのフレームを一体に固着してなる左右回動軸と、該左右回動軸、フレーム等を内部に収容する開口部付の袋状の表皮と、この表皮の内部に前記フレーム、左右回動軸と共に一体発泡するパッドとからなり、前記左右回動軸の基端側に、前記表皮の開口部を封鎖する鍔状の合成樹脂製封鎖プレートを嵌合し、前記封鎖プレートには、前記左右回動軸に係合すると共に内部に前記上下回動軸側に固着した止軸が挿入する筒状のストッパ部と、前記左右回動軸と上下回動軸との間に嵌入するブッシュ部とを設けてなる構成である。
【０００７】
以上の構成により、表皮の開口部は封鎖プレートで封鎖され、この封鎖プレートは左右回動軸の基端側に嵌合されているため、前記開口部の封鎖が完全になる。
【０００８】
また、前記封鎖プレートには、前記左右回動軸に係合すると共に内部に前記上下回動軸側に固着した止軸が挿入する筒状のストッパ部と、前記左右回動軸と上下回動軸との間に嵌入するブッシュ部とを設けることにより、封鎖プレートがストッパ、ブッシュの作用をなし、別個にストッパ、ブッシュを設ける必要がない。
【０００９】
更に、前記左右回転軸には、封鎖プレートによって前記表皮の開口部端縁を挟持すると共に前記ストッパ部が嵌合する通孔を有する円盤状の支持プレートを設ることにより、封鎖プレートの支持プレートに対する一体性が良好になり、パッド成形用の発泡液の外部への漏出を完全に防止できる。
【００１０】
また、前記上下回動軸の前記封鎖プレートの近傍には、固定プレートを固着し、該固定プレートにより封鎖プレートの支持プレート側からの移動を阻止する構成により、封鎖プレートの移動を完全に防止でき、より一層パッド成形用の発泡液の外部への漏出を防止できる。
【００１１】
【発明の実施の形態】
以下、本発明の実施の一形態を図面に基づいて説明する。
図１は本発明に係るアームレストの使用状態を示し、アームレストはシートバック（ＳＢ）の側面に取付けられており、上下回動部（Ｓ）と左右回動部（Ｍ）とから構成されている。
【００１２】
前記上下回動部（Ｓ）は、シートバック（ＳＢ）の側面に上下方向に回動自在に軸着され、この上下回動部（Ｓ）を構成する上下回動軸は左右回動部（Ｍ）を構成する左右回動軸（３）内に挿通され、この左右回動軸（Ｓ）にフレームが溶接されている。従って、左右回動部（Ｍ）は上下回動軸を回転中心に矢印方向に回転して、シートクッション（ＳＣ）の着座面の外方から上方に位置するように構成されている。
【００１３】
以上の上下回動部（Ｓ）及び上下回動部（Ｍ）は、図２に示すように構成されている。
【００１４】
上下回動部（Ｓ）は、図６に明示するように、シートバック（ＳＢ）側に固着される支軸（８０）にブラケット（７１）（７２）が軸受（７４）を介して回動自在に軸着され、以上のブラケット（７１）（７２）に、前記左右回動部（Ｍ）の左右回動軸（３）内に挿通する上下回動軸（２）が一体に連結されている構造である。
【００１５】
図６において、図中（７１Ａ）（７２Ａ）は筒状の軸受（７４）を挿通して溶接する通孔、（７８１）（７８２）は弧状の長孔で、この長孔（７８１）（７８２）内に支軸（８０）と共に座盤（８３）に基端が固着されているストッパ軸（８１）（８２）が挿通して上下回動部（Ｓ）の上下方向の回動範囲を規制している。
【００１６】
また、図６において、図中（８４）（８５）はブッシュ、（８６）はカラー、（８７）はブラケット（７１）（７２）を支軸（８０）に取付けるナット、また、図１、図２において（９１）（９２）はガーニッシュを各々示す。
【００１７】
以上の上下回動軸（２）の基端部（２Ａ）は、ブラケット（７１）（７２）に溶接され、この一方のブラケット（７１）には上下回動軸（２）方向に向けて棒状の止軸（７３）が固着され、また、上下回動軸（２）の基端部（２Ａ）側には円盤状の固定プレート（２０）が一体に溶接され、この固定プレート（２０）に止軸（７３）が係合する切欠（２３）が設けてある。
【００１８】
前記左右回動部（Ｍ）は、袋状に縫製した表皮（４）と、この表皮（４）と一体発泡したパッド（５）と、フレーム（６）及びこのフレーム（６）を溶接する前記左右回動軸（３）とから構成されている。
【００１９】
そして、前述の如く、左右回動軸（３）内には上下回動軸（２）が挿通され、これらとフレーム（６）は共にパッド（５）を発泡成形する前に、表皮（４）に設けた開口部（不図示）より表皮（４）内に収容される。
【００２０】
そして、この開口部はフレーム（６）等を収容後、封鎖プレート（１０）で閉口され、表皮（４）の注入口（４０）から注入したパッド成形用の発泡液が前記開口部から外部に漏出することがないように形成されている。
【００２１】
この封鎖プレート（１０）は、上下回動軸（２）に回転自在に挿通されている鍔状の合成樹脂プレートで、図７、図８に示すように成形され、表皮（４）の開口部端縁を支持プレート（３１）とで挟持して開口部を閉口している。
【００２２】
そして、この封鎖プレート（１０）の一側面には上下回動軸（２）の外周面と左右回転軸（３）の内周面との間に介在するブッシュ部（１１）と、前記止軸（７３）の先端部（７３Ａ）が挿入する筒状のストッパ部（１２）とが一体成形されている。
【００２３】
以上のストッパ部（１２）は、前記左右回動軸（３）と一体の円盤状の支持プレート（３１）に設けた長孔（３２）内に嵌合し、この支持プレート（３１）の外周には切欠部（３３）が形成されている。
【００２４】
なお、前記上下回動軸（２）の先端部は、ブッシュ（２６）、カラー（２５）を介してボルト（２４）によって左右回動軸（３）側に取付けられている。
【００２５】
また、前記封鎖プレート（１０）には、係止ピン（１３）が突設され、この係止ピン（１３）は支持プレート（３１）の切欠部（３３）に係合している。
【００２６】
封鎖プレート（１０）に設けたストッパ部（１２）は、図８に示すように円弧状の長孔（１２Ａ）に形成されているため、このストッパ部（１２）内に挿入された止軸（７３）によって、封鎖プレート（１０）と共に左右回動軸（３）の上下回動軸（２）に対する回転範囲が一定に規制される。
【００２７】
そして、封鎖プレート（１０）を左右回動軸（３）の固定プレート（３１）に接合することにより、表皮（４）の開口部は閉口される。
【００２８】
また、その際に、ストッパ部（１２）が固定プレート（３１）の長孔（３２）内に嵌合すると共に、係止ピン（１３）が切欠部（３３）に係合するため、封鎖プレート（１０）が回転することがない。
【００２９】
更に、封鎖プレート（１０）は、上下回動軸（２）と一体の固定プレート（２０）によって軸方向の移動が阻止されている。そのため、封鎖プレート（１０）による表皮（４）の開口部の閉口状態は良好となる。
【００３０】
斯して、表皮（４）の開口部より、フレーム（６）、左右回動軸（３）等を収容して開口部を封鎖プレート（１０）で閉口した後、注入口（４０）よりパッド成形用の発泡液を注入してパッド（５）を発泡成形すると、発泡液が開口部から外部に漏出することなくパッド（５）を表皮（４）と一体に発泡成形することができる、図２に示すヘッドレストの左右回動部（Ｍ）が形成される。
【００３１】
【発明の効果】
本請求項１の発明によれば、左右回動軸、フレーム等を収容する表皮の開口部が封鎖プレートによって閉口されるため、袋状の表皮内に注入したパッド成形用の発泡液が開口部から外部に漏出することがない。
そのため、外観品質に優れたアームレストを提供できる。
【００３２】
加えて、別個にストッパ、ブッシュを設けると必要がないため、部品点数が削減でき、組付性を向上させることができる。
【００３３】
本請求項２の発明によれば、封鎖プレートが左右回転軸側に一体に取付けられるため、封鎖プレートによる表皮の開口部の閉口状態が良好になり、表皮の開口部からのパッド成形用の発泡液の外部への漏出を完全に防止できる。
【００３４】
本請求項３の発明によれば、封鎖プレートの軸方向の移動を固定プレートで阻止できるため、発泡液注入時における前記表皮の閉口状態をより完全に保持できる。
【図面の簡単な説明】
【図１】本発明に係るアームレストの使用状態を示す斜視図である。
【図２】本発明に係るアームレストの部分切欠斜視図である。
【図３】パッドを発泡成形する前の状態の断面図である。
【図４】図３の状態の部分切欠平面図である。
【図５】図４のＶーＶ線断面図である。
【図６】要部の分解斜視図である。
【図７】封鎖プレートの斜視図である。
【図８】図７のＶＩＩＩーＶＩＩＩ線断面図である。
【符号の説明】
２      上下回動軸
３      左右回動軸
４      表皮
５      パッド
６      フレーム
１０      封鎖プレート
１１      ブッシュ部
１２      ストッパ部
２０      固定プレート
３１      支持プレート
【図１】
0003583029.tif 000002
【図２】
0003583029.tif 000003
【図３】
0003583029.tif 000004
【図４】
0003583029.tif 000005
【図５】
0003583029.tif 000006
【図６】
0003583029.tif 000007
【図７】
0003583029.tif 000008
【図８】
0003583029.tif 000009